(57)【要約】【課題】  再生時に、記録されているオーディオ／ビジュアル情報をユーザが容易に知ることができる記録媒体の提供。【解決手段】  ＣＤのＴＯＣのＲ〜Ｗチャンネルのサブコードとして、ＣＤ上の各曲のダイジェストのスタートアドレスおよびエンドアドレスが記録されると共に、ダイジェストの優先度が記録される。ＣＤ装着時にＴＯＣが再生され、再生されたＴＯＣデータがダイジェスト情報アドレスから抽出される。ダイジェストキーがオンされると、ダイジェストの優先順に従って、ダイジェストが順に再生される。【選択図】        図１９
2005332577.tif 000002
【特許請求の範囲】
【請求項１】
少なくとも一つのプログラムが記録されたプログラム領域と、
上記プログラム領域に記録されている総プログラム数と、各プログラムの記録位置と、各プログラムに対応する付随情報のデータ種別を示す識別情報とを備え、
上記付随情報のデータ種別には、少なくともテキスト情報を示すものとダイジェスト管理情報を示すものとがあり、
上記付随情報中のダイジェスト管理情報は、１乃至複数のプログラムのダイジェスト情報が記録されているアドレスと、上記ダイジェストの優先順に従って上記ダイジェスト情報を順にダイジェスト再生するための優先順位を示す優先度情報であることを特徴とする記録媒体。
【請求項２】
少なくとも一つのプログラムが記録されたプログラム領域を備え、
所定の長さの記録情報を所定の数だけ積層することにより判別可能になる、上記プログラム領域に記録されている総プログラム数と、各プログラムの記録位置と、各プログラムに対応する付随情報の種別を示す識別情報とを、上記所定の長さの記録情報に分け、上記プログラム領域のプログラムの間の領域に分けて記録された複数の管理領域を備え、
上記付随情報中のダイジェスト管理情報は、１乃至複数のプログラムのダイジェスト情報が記録されているアドレスと、上記ダイジェストの優先順に従って上記ダイジェスト情報を順にダイジェスト再生するための優先順位を示す優先度情報であることを特徴とする記録媒体。
【請求項３】
再生専用光ディスクであって、プログラム領域と管理領域とがその径方向に分割して形成されており、
上記プログラム領域には、複数のプログラムと、上記プログラム領域の位置を示すアドレス情報とが記録されており、
上記管理領域には、識別情報と上記識別情報によって第１および第２の内容が規定される付随情報とが記録されており、
上記第１の内容は、上記複数のプログラムに関連するテキスト情報であり、
上記第２の内容は、上記複数のプログラムのそれぞれの一部であるダイジェスト情報を管理するダイジェスト管理情報であり、
上記ダイジェスト管理情報は、上記ダイジェスト情報のアドレスを示す記録位置情報と、上記複数のプログラムの記録時に決定された、上記ダイジェスト情報の再生の順番を指示する優先度情報とを含み、
再生装置に装填されて上記ダイジェスト情報のみを再生する場合に、上記優先度情報で示される順番でもって、上記記録位置情報が指示するアドレスに記録されているダイジェスト情報が再生される記録媒体。
【発明の詳細な説明】
【技術分野】
【０００１】
この発明は、オーディオデータ、ビジュアルデータ等の主たるディジタルデータに付属してサブコードが記録されている記録媒体、例えばディジタルオーディオ用ＣＤに関する。
【背景技術】
【０００２】
音楽情報が記録されたＣＤ（コンパクトディスク）を再生するＣＤ再生装置において、使用上の便宜を図るため、ディスク再生情報に基づく各種表示がなされている。その一は、後述のＱチャンネルサブコードにモード１として記録されている楽章番号いわゆるトラック番号や各トラック番号に割り当てられた時間情報を再生して表示するものである。
【０００３】
図２４に示すように、ＣＤ１０１は中央に孔１０２を有し、その内周から外周に向かって、ＴＯＣ（table Of contents)データが記録されたプログラム管理領域である、リードイン（lead in ）領域１０３と、プログラムデータが記録されたプログラム領域１０４と、プログラム終了領域、いわゆるリードアウト（lead out）領域１０５とが形成されている。音楽情報を記録した音楽再生用ＣＤにおいては、プログラム領域１０４に音楽データが記録され、この音楽データの時間情報等がリードイン領域１０３で管理される。また、ＣＤ再生装置によるプログラム領域１０４内の音楽データの読み出しが終了して、リードアウト領域１０５にピックアップが到達したときに、ＣＤ再生装置がＣＤの再生動作を終了する。
【０００４】
図２５は、ＣＤ再生装置の一例を示す。このＣＤ再生装置は、例えばＣＤ１０１の音楽データをピックアップ１１２にて読み出し、この音楽データをディジタル信号処理回路１１６にて処理して得られる再生データを、ディジタル信号出力端子１２５、またはアナログ信号出力端子Ｒ、Ｌから出力するものである。
【０００５】
ピックアップ１１２は、対物レンズ等の光学素子、半導体レーザ、ＣＤ１０１からの戻りビームを受光する４分割ディテクタ等を有する。４分割ディテクタの出力信号が演算されることによって、ＲＦ信号、フォーカスエラー信号、トラッキングエラー信号が形成される。ＲＦ信号がアナログ波形整形回路１１４に供給され、フォーカスエラー信号がフォーカスサーボ回路１２０に供給され、トラッキングエラー信号がトラッキングおよびスレッドサーボ回路１２１に供給される。
【０００６】
アナログ波形整形回路１１４は、ピックアップ１１２からのＲＦ信号の波形を整形して、その出力が同期検出回路１１５およびクロック生成回路１１７に供給される。クロック生成回路１１７は、アナログ波形整形回路１１４からのＲＦ信号に基づいて、このＲＦ信号と同期した再生クロックを生成して、この再生クロックを同期検出回路１１５と、ディジタル信号処理回路１１６と、回転サーボ回路１２２に供給する。同期検出回路１１５は、クロック生成回路１１７から送られる再生クロックに基づいて、ＲＦ信号からフレーム同期パターンを検出し、このフレーム同期パターンの検出信号をディジタル信号処理回路１１６に供給する。
【０００７】
ディジタル信号処理回路１１６は、同期検出回路１１５を介されたＲＦ信号の再生処理を行う。より具体的には、ＥＦＦ変調の復調、エラー訂正符号の復号、エラーの補間等の処理がディジタル信号処理回路１１６においてなされる。この処理のために、クロック生成回路１１７からの再生クロックと、水晶発振器１１９から送られる基準クロックとが使用される。また、ディジタル信号処理回路１１６から取り出された左右のチャンネルのディジタルオーディオ信号がディジタル出力端子１２５に取り出されると共に、Ｄ／Ａ変換器１２３に供給され、アナログ信号へ変換される。オーディオアンプ１２４は、Ｄ／Ａ変換回路１２３からのアナログオーディオ信号を増幅して、アナログ信号出力端子Ｒおよび端子Ｌに出力する。
【０００８】
ディジタル信号処理回路１１６に対してサブコード検出回路１１８が接続される。サブコード検出回路１１８は、ディジタル信号処理回路１１６からのデジタル信号から、後述するサブコードのＰチャンネルおよびＱチャンネルのデータを検出し、各チャンネルのデータをトラッキングおよびスレッドサーボ回路１２１に供給する。
【０００９】
フォーカスサーボ回路１２０からのフォーカスエラー信号がピックアップ１１２に供給され、ピックアップ１１２の対物レンズのフォーカス位置がＣＤ１０１の信号面と合致するように、フォーカスサーボがなされる。回転サーボ回路１２２は、クロック生成回路１１７からの再生クロックおよび水晶発振器１１９からの基準クロックに基づいて回転駆動制御信号を発生し、この回転駆動制御信号をスピンドルモータ１１３に送り、スピンドルモータ１１３の回転動作を制御する。
【００１０】
トラッキングおよびスレッドサーボ回路１２１は、ピックアップ１１２からのトラッキングエラー信号に基づいてトラッキング制御駆動信号を発生し、このトラッキング制御駆動信号をピックアップ１１２に供給し、ピックアップ１１２のトラッキング動作を制御する。これと共に、ピックアップ１１２をＣＤ１０１の半径方向にスレッドさせる送り装置を駆動する制御信号を発生する。例えばＰチャンネルおよびＱチャンネルからのデータに基づいてトラック位置制御信号を発生し、このトラック位置制御信号をピックアップ１１２の送り装置に供給し、例えばプログラミングモード時におけるピックアップ１１２のトラック位置を制御する。
【００１１】
ここで、サブコードおよびＰチャンネルおよびＱチャンネルのデータについて説明する。ＣＤに記録される信号は、１サンプルあるいは１ワードが１６ビットで、４４．１ｋＨｚのサンプリング周波数でサンプリングされる。このサンプリングされたデータは、１サンプルあるいは１ワード１６ビットが上位８ビットと下位８ビットに分割されてそれぞれシンボルとされ、このシンボル単位で誤り訂正符号化処理やインターリーブ処理が施され、オーディオデータの２４シンボル毎に１つのフレームにまとめられる。これは、ステレオ左右チャンネルの各６サンプル分に相当する。
【００１２】
８−１４変調により、各シンボルの８ビットが１４ビットへ変換される。８−１４変調後の１フレームのデータ構造を図２６に示す。１フレーム１３５は、２４チャンネルビットの同期パターンデータ領域１３１と、１４チャンネルビットのサブコード領域１３２と、１２シンボルのプログラムデータＤ１からＤ１２を含むプログラムデータ領域１３３と、４シンボルのパリティデータＰ１からＰ４から成るパリティデータ領域１３４と、別のプログラムデータ領域１３３およびパリティデータ領域１３４とからなる。また、各領域、あるいはデータ部分を接続するために、各部分に対して３チャンネルビットの結合ビットが配される。従って、１フレーム１３５は、合計５８８チャンネルビットのデータを含む。
【００１３】
さらに、９８個のフレーム１３５を集めて、このフレーム１３５の各領域およびデータ部分が縦方向に連続するように並べ換えたものを図２７に示す。この図２７に示される９８フレームの周期は、サブコードが完結する単位であって、サブコードフレームと称される。このサブコードフレームは、フレーム同期パターン部１３６と、サブコード部１３７と、データおよびパリティ部１３８とから成る。なお、このサブコードフレームは、ＣＤの再生時間の１／７５秒に相当する。
【００１４】
ここで、図２５中のサブコード検出回路１１８から送られるＰチャンネルおよびＱチャンネルのデータを含むサブコードデータは、図２７中のサブコード部１３７に記録されているデータである。また、このサブコード部１３７のサブコードフレームのデータの構成の詳細を図２８に示す。先頭のフレームＦ０１、フレームＦ０２は、サブコードフレームの同期パターンＳ０、Ｓ１である。この同期パターンは、フレーム同期パターンと同様に、８−１４変調方式（eight to fourteen modulation: ＥＦＭ）のアウトオブルール（out of rule ）のパターンである。なお、図２５中のサブコード検出回路１１８は、この同期パターンを検出し、サブコードフレームの区切りを検出する。さらに、１シンボルの８ビットの各ビットは、それぞれサブコードのＰチャンネルからＷチャンネルを構成する。例えば、Ｐチャンネルは、Ｓ０、Ｓ１のそれぞれ一部と、Ｐ０１からＰ９６とで構成される。
【００１５】
サブコードのＰチャンネルは、曲の有無に対応した情報を有し、Ｑチャンネルには、ＣＤ上の絶対時間情報、各プログラムの時間情報、曲番号（トラック番号とも称される）、楽章番号（インデンクスとも称される）等の情報が含まれる。従って、Ｑチャンネルに含まれる情報によって、曲の頭だし等の再生動作の制御が可能であり、また、Ｑチャンネルの情報を表示することによって、演奏中の曲が音楽再生用光ディスクの何曲目であるのか、演奏の経過時間や始めからの絶対時間等を視覚で確認できる。さらに、サブコードのＲチャンネルからＷチャンネルまでの６チャンネル分のデータは、例えば静止画や、曲の歌詞の表示等に用いられている。
【発明の開示】
【発明が解決しようとする課題】
【００１６】
ＣＤ再生装置の操作性を向上するために、ＣＤに記録されている内容を短時間の内に確認する機能を装備することがなされている。より具体的には、各曲の先頭の部分（例えば１５秒間）を次々に自動的に再生する機能（市販のＣＤプレーヤでは、イントロスキャン、ミュージックスキャン等と呼ばれている）である。この機能によって、ユーザがそのＣＤに記録されている曲を直ちに知ることができる。
【００１７】
このようなＣＤ再生装置の動作モードは、ＣＤのＴＯＣデータを利用して実現されている。すなわち、ＣＤのプログラム管理領域（リードイン領域１０３）にＴＯＣデータとして、各曲の開始アドレス、終了アドレス、最初の曲番号、最後の曲番号等が記録されている。このＴＯＣデータは、ＣＤの装着時に再生装置により読み取られ、装置内部のメモリに記憶される。従って、ＴＯＣデータにより指示される曲の開始アドレスへのピックアップの移動と、その後の所定時間の再生動作とを繰り返すことによって、上述の動作モードが実現される。しかしながら、かかる機能は、各曲の先頭部分のみを再生するものであって、ユーザが曲の内容あるいは特徴を把握することが困難であった。
【００１８】
そこで、本願出願人により、各曲の中で印象的、特徴的な部分（所謂サビの部分）の情報をダイジェスト情報として記録することが提案されている。このダイジェスト情報には、各曲の印象的、特徴的な部分の開始アドレス及び終了アドレスが記録される。このダイジェスト情報を用いると、各曲の印象的、特徴的な部分を順次再生させることができる。
【００１９】
ところが、従来では、ダイジェスト情報を用いて各曲の印象的、特徴的な部分を順次再生させる場合、ディスクに収められた曲の例えば先頭から順に印象的、特徴的な部分が再生されていく。多くの場合、ディスクに収められている曲の中にはメインとなる曲があり、このメインとなる曲の位置は、ディスクの最後に収められていたり、ディスクの中程に収められていたりして、決まった場所にはない。ディスクの特徴を把握するためには、ディスクに収められた曲の中から、優先度の高い順に、印象的、特徴的な部分が順次再生されていくことが望まれる。
【００２０】
従って、この発明の目的は、印象的、特徴的な部分を優先度に従って順次再生させることができ、ＣＤ等の記録媒体に記録されているオーディオ／ビジュアル情報をユーザが短時間の内に容易に知ることを可能とする記録媒体を提供することにある。
【課題を解決するための手段】
【００２１】
この発明の第１の態様は、少なくとも一つのプログラムが記録されたプログラム領域と、
プログラム領域に記録されている総プログラム数と、各プログラムの記録位置と、各プログラムに対応する付随情報のデータ種別を示す識別情報とを備え、
付随情報のデータ種別には、少なくともテキスト情報を示すものとダイジェスト管理情報を示すものとがあり、
付随情報中のダイジェスト管理情報は、１乃至複数のプログラムのダイジェスト情報が記録されているアドレスと、ダイジェストの優先順に従ってダイジェスト情報を順にダイジェスト再生するための優先順位を示す優先度情報であることを特徴とする記録媒体である。
【００２２】
この発明の第２の態様は、少なくとも一つのプログラムが記録されたプログラム領域を備え、
所定の長さの記録情報を所定の数だけ積層することにより判別可能になる、プログラム領域に記録されている総プログラム数と、各プログラムの記録位置と、各プログラムに対応する付随情報の種別を示す識別情報とを、所定の長さの記録情報に分け、プログラム領域のプログラムの間の領域に分けて記録された複数の管理領域を備え、
付随情報中のダイジェスト管理情報は、１乃至複数のプログラムのダイジェスト情報が記録されているアドレスと、ダイジェストの優先順に従ってダイジェスト情報を順にダイジェスト再生するための優先順位を示す優先度情報であることを特徴とする記録媒体である。
【００２３】
この発明の第３の態様は、再生専用光ディスクであって、プログラム領域と管理領域とがその径方向に分割して形成されており、
プログラム領域には、複数のプログラムと、プログラム領域の位置を示すアドレス情報とが記録されており、
管理領域には、識別情報と識別情報によって第１および第２の内容が規定される付随情報とが記録されており、
第１の内容は、複数のプログラムに関連するテキスト情報であり、
第２の内容は、複数のプログラムのそれぞれの一部であるダイジェスト情報を管理するダイジェスト管理情報であり、
ダイジェスト管理情報は、ダイジェスト情報のアドレスを示す記録位置情報と、複数のプログラムの記録時に決定された、ダイジェスト情報の再生の順番を指示する優先度情報とを含み、
再生装置に装填されてダイジェスト情報のみを再生する場合に、優先度情報で示される順番でもって、記録位置情報が指示するアドレスに記録されているダイジェスト情報が再生される記録媒体である。
【発明の効果】
【００２４】
以上説明したように、この発明に係る記録媒体によれば、各プログラムに対応する付随情報として、各プログラムのサビの部分のような特徴的、印象的な部分をダイジェスト情報として記録することができる。このダイジェスト情報に記録されているアドレスと優先順位を管理する情報を用いて、各曲の特徴的、印象的な部分を優先順位に従って、再生させることができる。従って、その記録媒体に記録されているプログラムのそれぞれの内容を短時間の内に的確に把握することができると共に、プログラムを記録した者の意図に従った順序で聴取者にダイジェスト情報を提示できる。
【発明を実施するための最良の形態】
【００２５】
以下、この発明に係る記録媒体の一実施例について、図面を参照しながら説明する。一実施例では、記録媒体としてＣＤを使用しているが、これに限らず、他の種類の光ディスク（例えばＤＶＤ（ディジタル・ビデオ・ディスク）、磁気テープ、光テープ、半導体メモリ等に対してもこの発明を適用することができる。また、記録媒体に記録されている情報は、オーディオデータに限らず、ビデオデータ等であっても良い。
【００２６】
図１は、ＣＤのプログラム領域に記録されるＴＯＣデータの構成を示すものである。既存のＣＤの場合では、Ｑチャンネルのサブコードの１フレーム内の７２ビットのデータを使用して、総プログラム（曲）数と、各プログラムの記録位置とが管理される。より具体的には、００〜９９までの値の楽章のそれぞれが開始するアドレス（絶対時間）と、最初の楽章番号と、最後の楽章番号と、リードアウトが始まるアドレスとが記録されている。このＱチャンネルのサブコードに加えて、図１に示すようなＲチャンネル〜Ｗチャンネルで構成されるデータがＴＯＣデータとして記録されている。
【００２７】
Ｒ〜Ｗチャンネルからなるデータの先頭の２フレームは、同期パターンＳ０、Ｓ１である。残りの９６フレームには、それぞれが６ビットのシンボルが９６シンボル含まれる。この９６シンボルが２４シンボルずつに分割される。この２４シンボルを１パックと称し、４パックを１パケットと称する。
【００２８】
各パックの先頭位置にそのパックに記録される情報の記録モードを設定するモード情報と、テキスト情報の種類を示す識別情報を有するＩＤ１とその他の識別情報を有するＩＤコード（ＩＤ２、ＩＤ３およびＩＤ４）を含む計２４ビットのＩＤコードが記録されるＩＤ領域１が配置される。このＩＤ領域１の後に、８ビット単位で主データに付随するテキスト情報が記録されるテキスト領域２が配される。さらに、各パックに、誤り検出符号として、巡回符号（ＣＲＣ：cyclic redundancy code）による誤り検出を行うための１６ビットのデータが記録されるＣＲＣ領域３が配される。
【００２９】
この発明によるＲ乃至Ｗチャンネルのサブコードの説明に先立ち、既存のグラフィック情報をＣＤへ記録する際のデータフォーマットについて説明する。図２Ａは、図２８に示したサブコード部１３７の構造を模式的に示す図である。サブコードは、８ビットで形成され、このサブコードを形成するビット群は、Ｐ、Ｑ、Ｒ、Ｓ、Ｔ、Ｕ、Ｖ、Ｗの８チャンネルに分割されている。また、サブコード部１３７は、Ｐ乃至Ｗチャンネルから構成されるフレームが９８フレーム集めたものである。
【００３０】
最初の２フレームは、同期パターンであり、第３番目のフレームから第９８番目のフレームまでは、Ｐチャンネルのデータのみから成るサブコードＰと呼ばれるブロック１２、Ｑチャンネルのデータのみから成るサブコードＱと呼ばれるブロック１３、Ｒ乃至Ｗチャンネルのデータのみから成るブロック１１が含まれている。
【００３１】
画像情報をサブコードとして記録し再生する方式においては、図２Ｂに示すように、Ｒ乃至Ｗチャンネルの６ビットで１シンボルを形成し、データ最小単位を０〜２３の２４個のシンボルで形成されるパックとしている。すなわち、ブロック１１が４個のパックに分割される。パックを形成する２４シンボルの内、最初のシンボル（以下シンボル０という）は、ＭＳＢ（most significant bit）側から３桁がモードを示し、ＬＳＢ（least significant bit ）側から３桁がアイテムを示す。このモードおよびアイテムを示すシンボル０に続くシンボル１は、命令の種類を示すインストラクションである。インストラクションに続くシンボル３およびシンボル４は、誤り訂正符号であるパリティＱである。このパリティＱに続くシンボル４からシンボル１９までの各シンボルは、データフィールドを形成し、色情報等を含む。データフィールドに続くシンボル２０からシンボル２３までの各シンボルはパック内の情報を保護するための誤り訂正符号であるパリティＰである。
【００３２】
モードには、ゼロモード、ライングラフィックスモード、ＴＶグラフィックスモードおよびユーザモードの４種類のモードが存在する。ゼロモードは、例えば表示画面に対して何らの操作も行わないモードである。すなわち、画像をそのままにしておきたいときのためのモードであり、パック内のデータは全て０である。ライングラフィックスモードは、例えばプレーヤの前面に液晶ディスプレイ等を設けて曲の説明文等を表示するためのモードである。
【００３３】
また、画像処理命令としては、例えば画面全体をある色でぬりつぶす命令、画面状の１フォントに２種類の色を使用して絵を描く命令、画面全体を縦方向又は横方向に移動させる命令等がある。
【００３４】
上述したように、グラフィックス情報をサブコード中に挿入する既存の方法（ＣＤグラフィックス）では、Ｒ乃至Ｗチャンネルのデータを処理するためには、専用の処理回路が必要であり、また、パリティＰおよびパリティＱを用いた誤り訂正方法が複雑なので、処理回路は複雑である。そのため、既存の方法は、Ｒ乃至Ｗチャンネルのサブコードを利用して単にテキスト情報を記録し再生する用途では不適当であった。
【００３５】
そこで、この発明の一実施例では、Ｒ乃至Ｗチャンネルを利用するために、より簡単な処理回路で実現できるようにしたものである。図３Ａは、図１で示したデータフォーマットをシリアルデータとして示す。図３Ａに示すように、先頭から３２ビットのデータ（図３Ａでは、２４ビットのみ示す）をバイト毎のデータに区切り、これらのバイトを識別用のＩＤ１、ＩＤ２、ＩＤ３、ＩＤ４に対して割り付け、ＩＤ領域１を形成する。その後のテキスト領域２もバイト単位のデータに区切られる。このようなバイト単位の処理によって、Ｑチャンネルの信号の処理方法で処理することが可能になり、簡単な処理回路の構成とできる。
【００３６】
また、図２Ａに示したデータフォーマットでは、パリティＰおよびパリティＱを用いた誤り訂正符号が用いられているのに対して、この発明の一実施例におけるデータフォーマットでは、ＣＲＣによる誤り検出符号を用いて誤りを検出するのにとどめ、誤りが検出されると再度データを読み出すようにしている。このため、データは、ＴＯＣ内で、パック毎に例えば４重書きされ、さらに、一連のデータ列がパケット単位で繰り返し記録されている。このような多重記録によって、誤り訂正のための複雑な回路を省略することができる。
【００３７】
なお、パック単位の多重書きは、４重書きに限らないし、また、多重書きの単位もパック単位に限らず、例えばパケット単位、あるいは数パケットを周期としてこの周期単位で多重書きしてもよい。
【００３８】
また、ＩＤ領域１の先頭のＩＤ１は、図３Ｂに示すように、従来の１シンボルより２ビット多い８ビットで扱うことになる。さらに、既存のＲ乃至Ｗチャンネルのサブコードを復号化する機能を有するＣＤ再生装置に装着してもこの再生装置が誤動作を起こさないように、ＭＳＢから３ビットは、上述のモードと同様のデータを書き込み、且つこの３ビットで示されるモードとしては未定義のコード例えばモード４（"１００"）を割り付ける。こうすることで、既存の再生装置に装着しても認識不可能なモードが検出されるだけなので、再生装置は動作を停止するだけであり誤動作するおそれがない。また、未定義のモードは、モード４の他に、モード５およびモード６があり、モード４の代わりにこれらのモードを用いることもできる。
【００３９】
また、ＩＤ１によりモード４が指示されるこの発明の一実施例では、パック内のデータフォーマットは、図４に示すように、８ビット（１バイト）毎に区切られたＩＤ１、ＩＤ２、ＩＤ３、ＩＤ４と、テキストバイトtext１〜text１２と、１６ビットのＣＲＣコードとを含むものである。
【００４０】
ＩＤ１は、８ビットの構造を有し、ＩＤ１とパックで扱われるデータの内容が図５に示すように規定されている。ＩＤ１は、上述したように、モード４を上位側のビットで指示するために、８ラｈ（ｈは１６進数を意味し、ラが下位側の４ビットの値を意味する）。
【００４１】
ＩＤ１は、text１以降に続く文字列の内容を示している。（８０ｈ）はアルバム名／曲名、（８１ｈ）は演奏者／指揮者／オーケストラ名、（８２ｈ）は作詩者、（８３ｈ）は作曲者、（８４ｈ）は編曲者、（８５ｈ）はメッセージ、（８６ｈ）はｄｉｓｃＩＤ、（８７ｈ）は検索用キーワード、（８８ｈ）はＴＯＣ、（８９ｈ）は２ｎｄＴＯＣ、（８ａｈ）はユーザ、（８ｂｈ）は歌詞、（８ｃｈ）は歌詞２、（８ｄＨ）は予約、（８ｅｈ）は予約、（８ｆｈ）はサイズである。
【００４２】
ＩＤ２は、パックのtext位置から書かれている文字列がどのトラックに所属するかを示すものである。図６に示すように、ＩＤ２には、１から９９までのトラックナンバが記録される。トラックナンバは１から９９であるので、これ以外の数値「０」や「１００」（６４ｈ）以上は特別な意味を持つ。「００」はディスク全体を代表することを意味する。ＭＳＢは常に０とされて、１は拡張用のフラグとなる。
【００４３】
ＩＤ３はブロックに付された連続番号である。図７に示すように、ブロック内の連続番号は、００から２５５（０からＦＦｈ）までである。ＩＤ３＝０は、常にＩＤ１＝８０ｈの先頭パックであり、以降８０が終了すれば、８１、８２とに戻って繰り返される。付加情報により無いＩＤ１は次のＩＤ１に置き換えられるが、必ず小さい番号順に記録される。
【００４４】
ＩＤ４は、現パックの文字コードと、その文字列の文字位置を示している。図８に示すように、最初の４ビットはキャラクタコードで、「００００」はＡＳＣＩＩコード、「０００１」、「００１０」、「００１１」、「０１００」は、８８５９−１(a) 、８８５９−１(b) 、８８５９−１(c) 、８８５９−１(d) コード、「０１０１」は予約、「０１１０」はＪＩＳカナコード、「０１１１」はＭＳ−ＪＩＳコードであることを示している。なお、「１０００」以降は予約されている。ＬＳＢの４ビットは、現パックのtext１の文字が何文字目かを示している。「００００」が最初の文字、「０００１」が２番目の文字、「００１０」が３番目の文字、以下、「００１１」、「０１００」、・・・は、４番目、５番目、・・・の文字である。
【００４５】
図９は、（ＩＤ１＝８０ｈ）のパックの構成例を示すものである。（ＩＤ１＝８０ｈ）は、アルバム名と最大９９曲の全曲名を記録するために用いられる。各々の文字情報の最後の文字は必ずヌル（００ｈ）で終端される。次の曲名はそのヌルの続きに、連続して書かれていく。図１０は、アルバムタイトルが「ＢＥＡＴＬＥＳ  ＴＨＥ  ＢＥＳＴ」、第１曲目の曲名が「ＬＯＶＥ  ＭＥ  ＤＯ」、第２曲目の曲名が「ＴＨＥ  ＷＡＶＥ」、第３曲目の曲名が「ＰＬＥＡＳＥ  ＨＥＬＰ」の例である。
【００４６】
図１１は、（ＩＤ１＝８１ｈ）のパックの構成例を示すものである。（ＩＤ１＝８１ｈ）は、演奏者／指揮者／オーケストラ名等、アルバム名や各曲名に対応する人物名を記録するのに用いられる。図１２に示すように、各々の名前は曲名と同様にヌル（００ｈ）で終端とさた後、次々と連続して書かれていく。図１２は、アルバムを代表する演奏者が「ＭＩＣＨＥＡＬ  ＪＡＣＫＳＯＮ」、１曲目の演奏者が「ＪＡＮＥＴ  ＪＡＣＫＳＯＮ」、２曲目の演奏者が「Ｍ．ＪＡＣＫ・・・」である場合の例である。
【００４７】
図１３は、（ＩＤ＝８５ｈ）のパックの構成例を示すものである。（ＩＤ＝８５ｈ）は、アルバム名や各曲名を記録するのと同じ要領で、各トラック毎のメッセージを記録するのに用いられる。図１４に示すように、メッセージはヌル（００ｈ）で終端された後、次々と連続して書かれていく。ＩＤ２は、１から６３まではメッセージに同期するトラックナンバを意味し、それ以外の数値は夫々特別な意味をもつ。「００」はアルバムを代表するメッセージになる。「７０」から「７ｆ」は、例外的に特性の国の言葉でメッセージを記録した場合に用いられる。「７０」はドイツ語、「７１」はフランス語、「７２」はスペイン語、「７３」はイタリア語、「７４」はオランダ語、「７５」はロシア語、「７８」は中国語、「７９」は日本語、「７Ａ」は韓国語等である。図１４は、ディスクに「Ｔｈａｎｋ  Ｙｏｕ  Ｖｅｒｙ  ｍｕｃｈ  Ｐｌｅａｓｅ  Ｅｎｊｏｙ！」というメッセージがあり、１５曲目に「Ｓｅｅ  Ｙｏｕ  Ｂｙｅ」というメッセージがある場合を示している。
【００４８】
図１５は、（ＩＤ１＝８６ｈ）のパックの構成例である。（ＩＤ１＝１）はｄｉｓｋＩＤを示しており、ここには、ＩＤコードの他に、発売元の名前やＰＯＳコード、発売年等を記録するようにしても良い。
【００４９】
図１６は、（ＩＤ１＝８７ｈ）のパックの構成例である。（ＩＤ１＝８７ｈ）は検索用キーワードで、検索ＩＤは２バイトのジャンルコードとディスク全体を代表する人物名ないしキーワードで決められる。ここで表現できないジャンルコードの場合には、text３以降で／文字列／で捕捉することが可能である。図１７は、ジャンルコード「００」「１７」、ジャンル捕捉文字列「ＪａｐａｎｅｓｅＲｏｃｋ'８０」、検索用キーワードが「Ｙ．Ｏｚａｋｉ」の場合を示している。
【００５０】
図１８は、（ＩＤ１＝８８ｈ）のパックの構成例である。（ＩＤ１＝８８ｈ）はＴＯＣ（Table Of Contents ）で、通常のＴＯＣ情報をＲからＷの情報を記録するために設けられている。（ＩＤ２＝０１ｈ〜６３ｈ）のときとで２種類存在する。
【００５１】
図１９は、（ＩＤ１＝８９ｈ）のパックの構成例である。（ＩＤ１＝８９ｈ）が２ｎｄＴＯＣで、通常のＴＯＣの中で表せない特殊な部分をポイントするために設けられている。この例では、２ｎｄＴＯＣは、所謂サビの部分のような曲の中で最も印象深い部分（ジャンル情報）を示すのに利用されている。text１は優先度を示し、「００ｈ」が最優先、「０１ｈ」が次となり、「ＦＦｈ」が最低となる。text２は、ポイントの総数を示し、１ディスクについて３ポイント程度が推奨される。text３〜text６は予約されている。text７、text８、text９によりダイジェストのスタートアドレスが指示され、その後の３個のテキストバイトtext１０、text１１、text１２により、ダイジェストのエンドアドレスが指示される。このアドレスは、例えばＣＤ上の絶対時間情報であり、テキストバイトの各バイトによって、分（００〜７４の値）、秒（００〜５９の値）、フレーム（００〜７４の値）の各桁の数字が記録される。
【００５２】
図２０の例では、第１番目のダイジェストのスタートアドレス（text7 〜text9 ）が（１分２秒１０フレーム）であり、そのエンドアドレス（text10〜text12）が（１分４３秒２０フレーム）であり、優先度（text1 ）が「０２」である。
【００５３】
次のパックには、第２番目のダイジェストのアドレスが記録される。第２番目のダイジェストは、スタートアドレス（text7 〜text9 ）が（１０分２秒２０フレーム）であり、エンドアドレス（text10〜text12）が（１０分２０秒１０フレーム）であり、優先度（text1 ）が「０１」である。そして、さらに第３番目のダイジェストのスタートアドレス（text7 〜text9 ）は（１２分５０秒４０フレーム）であり、エンドアドレス（text10〜text12）は（１３分１０秒２０フレーム）であり、優先度（text1 ）は「００」である。ダイジェストを再生する場合、text1 の優先度を基に、再生順が決められる。従って、この場合、第３番目のダイジェスト、第２番目のダイジェスト、第１番目のダイジェストの順に再生される。
【００５４】
図２１は、（ＩＤ１＝８ｆｈ）のパックの構成例である。（ＩＤ１＝８ｆｈ）はサイズを示すもので、サイズは１ブロックにおける各項目のパックの構成数をまとめたものであり、図２１Ａ及び図２１Ｂの２パックにより構成される。
【００５５】
上述したように、この発明に係る記録媒体例えばＣＤは、主データ（音楽データ）に付随して、ＴＯＣ領域に記録されるサブコードのＲ乃至Ｗチャンネルに対応する６ビットで構成されるシンボルの２４シンボル分を１パックとし、４パック分を１パケットとして、パケット単位でデータが構成され、各パックの先頭位置にそのパックで記録される情報の記録モードを設定するモード情報が記録されるとともに、各パックに書き込まれた情報が８ビット単位で識別情報と、テキスト情報またはダイジェスト情報が記録されたものである。
【００５６】
このようなＣＤを再生する再生装置の一例を図２２に示す。この再生装置は、複数枚のＣＤの中で、オートチェンジャ機能により、選択された１枚のＣＤを再生可能とされている。このチェンジャ機能により選択されたＣＤ４１は、スピンドルモータ４３により回転駆動され、光学ピックアップ４２により記録内容が読み出される。この光学ピックアップ４２からの信号は、ＲＦ信号処理回路４４を介して、ディジタル処理のための信号処理回路４５に供給される。信号処理回路４５からのディジタルオーディオ信号成分は、Ｄ／Ａ変換器４７でアナログのオーディオ信号に変換されて、アナログオーディオ信号出力端子より取り出される。このようなオーディオデータの処理は、従来のＣＤプレーヤと同様である。
【００５７】
また、図２２に示すＣＤ再生装置は、光学ピックアップ４２により読み出した信号から信号処理回路４５にて取り出されたサブコードをＱチャンネルとＲ乃至Ｗチャンネルとに分離するサブコード分離回路５１と、サブコード分離回路５１により分離されたＲ乃至Ｗチャンネルのサブコードのモード情報を取り出すとともに、このモード情報に基づいて記録媒体の種類を識別するディスク識別回路６６と、ディスク識別回路６６の出力に応じて、サブコード分離回路５１から送られるＲ乃至Ｗチャンネルのサブコードを処理するサブコード処理回路５４と、サブコード処理回路５４にて処理される情報の内、テキスト情報を表示するための文字表示部５８とを装備している。
【００５８】
サブコード分離回路５１により、サブコードがＱチャンネルとＲ乃至Ｗチャンネルとに分離され、Ｑチャンネルのサブコードが時間情報処理回路５２に供給され、Ｒ乃至Ｗチャンネルのサブコードがサブコード処理回路５４およびディスク識別回路６６に供給される。時間情報処理回路５２は、Ｑチャンネルで管理される時間情報を時間表示部５３に供給し、時間表示がなされる。
【００５９】
ディスク識別回路６６は、Ｒ乃至Ｗチャンネルに書き込まれたモード情報を抽出し、モード情報に基づいてＣＤの種類が識別される。すなわち、挿入されたＣＤが識別情報とテキスト情報（またはダイジェスト情報）とがＲ乃至Ｗチャンネルに記録されたものか、否かが識別される。ＣＤが、識別情報とテキスト情報（またはダイジェスト情報）とがＲ乃至Ｗチャンネルに記録されたＣＤであると識別されたときは、サブコード処理回路５４に動作入力信号を出力する。また、ＣＤが、上述したＣＤ以外のＣＤ、特にグラフィック情報がＲ乃至Ｗチャンネルに記録されたＣＤである場合、グラフィック処理回路４８に対して動作入力信号を送る。
【００６０】
装着されたＣＤが識別情報とテキスト情報（またはダイジェスト情報）とがＲ乃至Ｗチャンネルに記録されたＣＤである場合、サブコード処理回路５４は、ディスク識別回路６６から動作入力信号を受け付け、サブコード分離回路５１からのＲ乃至Ｗチャンネルを、上述したようなＡＳＣＩＩコード等の所定の変換コードに基づいて処理して得られる各項目の情報、例えばジャンル情報５５ａ、ＩＤ情報５５ｂ、ダイジェスト情報アドレス５５ｃ、アルバム名や演奏者名等の文字情報５５ｄ、サイズ情報５５ｅ等が取り出され、これらが別個に記憶される。
【００６１】
サブコード処理回路５４により分離された文字情報５５ｄは、文字内容分離回路５７に送られ、表示内容スイッチ５６の操作等に応じて表示項目や内容が選択分離され、文字表示部５８に送られて表示される。
【００６２】
サブコード処理回路５４により分離されたジャンル情報５５ａは、いわゆるＣＰＵ等を用いた制御回路６０に送られ、ユーザにより指定されたジャンルのディスクあるいは曲のみ再生するような制御が行われる。この制御回路６０にはＲＡＭ６１が接続されており、ユーザが操作部６２中のジャンルスイッチを操作することで指定されたジャンル情報がＲＡＭ６１に記憶され、この指定されたジャンル情報がサブコード処理回路５４からのジャンル情報５５ａと一致しているか否かの判別がなされ、一致しているときのみサーボ回路６５を制御してディスクの再生動作を行わせる。オートチェンジャタイプでは、ディスクを自動交換しながらジャンルの一致したディスクのみを再生制御するようにして、特定のジャンルのディスクのみを選択再生することができる。
【００６３】
また、サブコード処理回路５４からのＩＤ情報５５ｂは、制御回路６０に送られ、オートチェンジャ機構の動作を効率よく行わせるのに用いられる。さらに、ダイジェスト情報アドレス（スタートアドレスおよびエンドアドレス）５５ｃは、各曲および各ダイジェスト毎に記憶されている。このアドレスを制御回路６０が読み出し、ダイジェストを再生することができる。
【００６４】
また、サブコード処理回路５４からのサイズ情報５５ｅは、ＴＯＣ読み出し待ち時間処理回路６４に送られる。このＴＯＣ読み出し待ち時間処理回路６４は、信号処理回路４５にてＱチャンネルのデータが正常に読み取られたか否かを示すサブＱエラー情報６３と、当該サイズ情報５５ｅとに基づいて、Ｒ乃至Ｗチャンネルの全てを読み出すのに要する時間、すなわち待ち時間を算出し、これを時間表示部５２に送る。この待ち時間表示は、文字表示部５８に行わせてもよい。
【００６５】
なお、装着されたＣＤが図２、図３に示すようなデータ構成を有し、画像情報を含むグラフィックコードと、文字に対応して所定のビットパターンを有する文字コードとが記録されたＣＤである場合、グラフィック処理回路４８は、ディスク識別回路６６から動作入力信号を受け取り、グラフィックコードおよび文字コードを所定の処理を行い表示用データを形成する。グラフィック表示回路４９は、グラフィック処理回路４８からの表示用データから表示信号を形成するとともに、グラフィック出力端子からこの表示信号を出力する。
【００６６】
図２３は、この発明の特徴とするダイジェスト再生動作の概略を示すフローチャートである。図２３中のスタートの状態においては、ＣＤ４１が装着され、そのＴＯＣデータが読み取られ、サブコード分離回路５１によりＱチャンネルのサブコードとＲ〜Ｗチャンネルのサブコードとが分離され、ディスク識別回路６６によって、装着されたＣＤ４１がテキスト情報またはダイジェスト情報がＴＯＣデータとして記録されているいることが既に決定されている。サブコード処理回路５４では、ステップＳ１において、ＩＤ１＝（８９）ｈかどうかが決定される。
【００６７】
ＩＤ１＝（８９）ｈでないならば、次に、処理がステップＳ２へ移り、ＩＤ１＝（８７）ｈかどうかが決定される。若し、そうならば、このＩＤ１に含まれるジャンル情報５５ａが記憶される（ステップＳ３）。ＩＤ１が（８７）ｈでないならば、図示しないが、ＩＤ１が他のコードかどうかが順に決定され、ＩＤ１で識別されるデータ毎に文字情報５５ｄが記憶される。
【００６８】
ステップＳ１において、ＩＤ１＝（８９ｈ）が満たされる場合には、ステップＳ４において、ダイジェスト情報アドレス及び優先度５５ｃが記憶される。ダイジェスト情報アドレスは、ＣＤ４１の各曲および各ダイジェストのそれぞれと、スタートアドレスおよびエンドアドレスが対応したテーブルとして記憶される。
【００６９】
そして、ステップＳ５では、操作部６２中のダイジェストキーがＯＮされたかどうかが監視される。ダイジェストキーがＯＮされた場合には、制御回路６０がサーボ回路６５を制御して、優先度の高い方から順にｉ番目の曲のダイジェストのスタートアドレスへ読み取りスポットを位置させる頭出し動作がなされる（ステップＳ６）。頭出しが完了すると、このスタートアドレスからダイジェストの再生動作が開始する（ステップＳ７）。ステップＳ８では、再生中の現在アドレスとエンドアドレスとの一致検出がなされ、一致した場合には、次のステップＳ９へ処理が移行する。
【００７０】
ステップＳ９では、そのＣＤの全てのダイジェストの再生が終了したかどうかが決定される。若し、終了した場合には、ダイジェスト再生動作が完了する。この検出のために、例えば、ダイジェストアドレス情報を記憶するテーブルにおいて、最後のダイジェストアドレス情報の次のアドレスに対して、終了を示すフラグ、あるいはコードを記憶するようになされる。全てのダイジェストの再生が完了していないと、ステップＳ９において決定されるならば、ステップＳ１０において、優先度ｉの値がインクリメントされ、そして、ステップＳ６へ戻る。
【００７１】
また、上述した実施例では、ＣＤのＴＯＣがプログラム管理領域であるが、媒体が例えばテープの場合では、プログラム管理領域がテープの始端部分に記録されるように、記録媒体に応じたプログラム管理領域が設けられる。さらに、上述の一実施例では、サブコードとして、テキスト情報を記録しているが、テキスト情報を併せて記録する必要はない。よりさらに、この発明は、ＣＤ等の再生専用の記録媒体に限らず、記録も可能な記録媒体、再生専用領域と記録可能領域との両者を有する記録媒体に対しても適用することができる。
【図面の簡単な説明】
【００７２】
【図１】この発明の一実施例におけるサブコードのデータフォーマットを全体的に示す略線図である。
【図２】Ｒ乃至Ｗチャンネルにグラフィック情報を記録する既存のＣＤのデータフォーマットおよびこのデータフォーマットにおけるシンボルを説明する略線図である。
【図３】この発明の一実施例のデータフォーマットの１パックおよび１シンボルを示す略線図である。
【図４】この発明の一実施例のデータフォーマットの割り付けを示す略線図である。
【図５】ＩＤ１で示されるデータの内容を示す図である。
【図６】ＩＤ２で示されるデータの内容を示す図である。
【図７】ＩＤ３で示されるデータの内容を示す図である。
【図８】ＩＤ４で示されるデータの内容を示す図である。
【図９】曲名ＩＤのデータの内容を示す図である。
【図１０】曲名ＩＤのデータの説明に用いる図である。
【図１１】演奏者ＩＤのデータの説明に用いる図である。
【図１２】演奏者ＩＤのデータの説明に用いる図である。
【図１３】メッセージＩＤのデータの説明に用いる図である。
【図１４】メッセージＩＤのデータの説明に用いる図である。
【図１５】ディスクＩＤのデータの説明に用いる図である。
【図１６】検索ＩＤのデータの説明に用いる図である。
【図１７】検索ＩＤのデータの説明に用いる図である。
【図１８】ＴＯＣデータの説明に用いる図である。
【図１９】２ｎｄＴＯＣのデータの説明に用いる図である。
【図２０】２ｎｄＴＯＣのデータの説明に用いる図である。
【図２１】サイズパックのデータの説明に用いる図である。
【図２２】この発明による再生装置の一実施例の構成を示すブロック図である。
【図２３】この発明の一実施例におけるダイジェスト再生動作を説明するためのフローチャートである。
【図２４】従来の音楽再生用ＣＤの領域を示す略線図である。
【図２５】従来のディスク再生装置の要部を示すブロック図である。
【図２６】１フレームのデータを示す略線図である。
【図２７】サブコードフレーム全体のデータ構造を説明する略線図である。
【図２８】サブコード信号の全チャンネルのデータを示す略線図である。
【符号の説明】
【００７３】
１        ＩＤ領域
２        テキスト領域
３        ＣＲＣ領域
４        パック
５        パケット
４２      光学ピックアップ
４５      信号処理回路
５１      サブコード分離回路
５４      サブコード処理回路
５８      文字表示部
６６      ディスク識別回路
【図１】
2005332577.tif 000003
【図２】
2005332577.tif 000004
【図３】
2005332577.tif 000005
【図４】
2005332577.tif 000006
【図５】
2005332577.tif 000007
【図６】
2005332577.tif 000008
【図７】
2005332577.tif 000009
【図８】
2005332577.tif 000010
【図９】
2005332577.tif 000011
【図１０】
2005332577.tif 000012
【図１１】
2005332577.tif 000013
【図１２】
2005332577.tif 000014
【図１３】
2005332577.tif 000015
【図１４】
2005332577.tif 000016
【図１５】
2005332577.tif 000017
【図１６】
2005332577.tif 000018
【図１７】
2005332577.tif 000019
【図１８】
2005332577.tif 000020
【図１９】
2005332577.tif 000021
【図２０】
2005332577.tif 000022
【図２１】
2005332577.tif 000023
【図２２】
2005332577.tif 000024
【図２３】
2005332577.tif 000025
【図２４】
2005332577.tif 000026
【図２５】
2005332577.tif 000027
【図２６】
2005332577.tif 000028
【図２７】
2005332577.tif 000029
【図２８】
2005332577.tif 000030